【事件の表示】
　特許第６５５９４３６号発明「ホッパ並びにそれを搭載した組合せ計量装置」の特許異議申立事件について、次のとおり決定する。
【結　論】
　特許第６５５９４３６号の特許請求の範囲を訂正請求書に添付された訂正特許請求の範囲のとおり、訂正後の請求項〔１−４〕について訂正することを認める。
　特許第６５５９４３６号の請求項１−４に係る特許を維持する。
【理　由】
第１　手続の経緯
　特許第６５５９４３６号（以下「本件特許」という。）について、その手続の経緯は、以下のとおりである。
　平成２７年　２月１８日　　：特許出願
　令和　元年　７月２６日　　：特許権の設定登録
　令和　元年　８月１４日　　：特許掲載公報の発行
　令和　２年　１月２９日　　：特許異議申立書の提出（請求項１から４に対して）（特許異議申立人：恒川　朱美）
　令和　２年　６月１８日付け：取消理由通知書（同年６月２４日発送）
　令和　２年　８月２１日　　：意見書及び訂正請求書の提出（特許権者）
　令和　２年　９月１７日付け：通知書（同年９月２５日発送）
　なお、上記のとおり、特許異議申立人恒川朱美に対して令和２年９月１７日付けで期間を指定して意見書を提出する機会を与えたが、特許異議申立人恒川朱美から応答はなかった。
第２　訂正の適否
１　訂正の内容
　令和２年８月２１日に提出された訂正請求書による訂正（以下「本件訂正」という。）は、本件特許の特許請求の範囲を以下のとおり訂正することを求めるものである。（なお、当審で訂正箇所に下線を付した。）
　なお、本件訂正請求は、一群の請求項〔１−４〕に対して請求されたものである。
（１）訂正事項１
　特許請求の範囲の請求項１に「上下が開口した中空状の本体と、該本体の下部開口面を下方から開閉するゲートと、該ゲートを、前記本体の対向する両側面に開閉自在に取り付けてなる支持軸と、前記ゲートと前記支持軸とを接続する補強板を備え、前記補強板は、前記ゲートが閉じている場合、前記本体の側壁のうち前記支持軸の延びる方向と平行に平面が存在しかつ、前記支持軸に近い側壁から前記支持軸に向かう方向に対し、前記支持軸の延びる方向から見た平面視において前記側壁から張り出している、ホッパ」と記載されているのを、
「上下が開口した中空状の本体と、
　該本体の下部開口面を下方から開閉するゲートと、
　該ゲートを、前記本体の対向する両側面に開閉自在に取り付けてなる支持軸と、
　前記ゲート
の上端部
前記両側面の
と、
　前記補強板
の一部
、
、
　
前記支持軸は、前記側壁に隣接するように、前記側面の平面に配置され、
　
かつ、開放された前記ゲートの上端部と前記側壁との間に、少なくとも清掃作業者の指先が入るだけの間隔が形成されるように、前記支持軸から前記下部開口面に至るまでの距離が、前記支持軸から前記側壁に至るまでの距離よりも長く設定され
　また、請求項１の記載を引用する請求項３、４も同様に訂正する。
（２）訂正事項２
　特許請求の範囲の請求項２に「前記支持軸から前記下部開口面に至るまでの距離が、前記支持軸から前記側壁に至るまでの距離よりも長く設定される請求項１に記載のホッパ」と記載されているのを、「
前記補強板のうち、前記支持軸を横切る水平方向の端部である他の一部は、前記ゲートが閉じている場合、前記側面の前記支持軸に隣接する前記平面の端部の縁から張り出している
　また、請求項２の記載を引用する請求項４も同様に訂正する。
２　訂正の目的の適否、新規事項の有無及び特許請求の範囲の拡張・変更の存否
（１）訂正事項１について
ア　訂正事項１のうち、「前記ゲート
の上端部
前記両側面の
と、
　そして、この訂正は、本件特許の願書に添付した特許請求の範囲の請求項１に記載した事項及び次に示す明細書の段落【００１７】、【００２０】、【図２】、【図３】及び【図４】に記載した事項に基づくものであるから、新規事項の追加に該当せず、実質上特許請求の範囲を拡張し、又は変更するものではない。
「【００１７】
　図２〜図４に示すホッパ１００は、ステンレス材で形成され、上下が開口した中空状の本体１０と、本体１０の下部開口面Ｆ（図４参照）を開閉するゲート２０と、ゲート２０を本体１０の両側面に揺動自在に取り付けてなる支持軸３０と、ゲート２０を支持軸３０回りに上方に跳ね上げるレバー４０とを備えている。」
「【００２０】
　ゲート２０は、本体１０の下部開口面Ｆを下方から被う形状に形成されている。すなわち、ゲート２０は、下部開口面Ｆを被う平坦部と、その両サイドから立ち上がって、対向する両側面１２、１２に沿う折り曲げ部２２、２２とを備えている。また、平坦部の下側先端部２３は反り返っており、ゲート２０が下部開口面Ｆを閉鎖したときに、下り傾斜の側壁１５の先端部と密着するように形成されている。また、ゲート２０上端部２１には、コの字状の補強板４１が溶着され、その補強板４１から上方に伸びる上端部が支持軸３０に回動自在に支持され、そこから下方に向けてレバー４０が一体的に設けられている。」
「【図２】
」
「【図３】
」
「【図４】
」
　以上検討のとおり、当該訂正事項は、特許請求の範囲の減縮を目的とし、新規事項の追加に該当せず、実質上特許請求の範囲を拡張し、又は変更するものではない。
イ　訂正事項１のうち、「前記補強板
の一部
、
　そして、この訂正は、本件特許の願書に添付した特許請求の範囲の請求項１に記載した事項、前記明細書の段落【００２０】及び前記【図３】に記載した事項に基づくものであるから、新規事項の追加に該当せず、実質上特許請求の範囲を拡張し、又は変更するものではない。
　したがって、当該訂正事項は、明瞭でない記載の釈明を目的とし、新規事項の追加に該当せず、実質上特許請求の範囲を拡張し、又は変更するものではない。
ウ　訂正事項１のうち、「
前記支持軸は、前記側壁に隣接するように、前記側面の平面に配置され、かつ、開放された前記ゲートの上端部と前記側壁との間に、少なくとも清掃作業者の指先が入るだけの間隔が形成されるように、前記支持軸から前記下部開口面に至るまでの距離が、前記支持軸から前記側壁に至るまでの距離よりも長く設定され
　そして、この訂正は、次に示す、本件特許の願書に添付した特許請求の範囲の請求項２に記載した事項及び明細書の段落【０００９】、【００１０】、【００２３】に記載した事項に基づくものであるから、新規事項の追加に該当せず、実質上特許請求の範囲を拡張し、又は変更するものではない。
「【請求項２】
　前記支持軸から前記下部開口面に至るまでの距離が、前記支持軸から前記側壁に至るまでの距離よりも長く設定される請求項１に記載のホッパ。」
「【０００９】
　支持軸３０は、ゲート２０が開放されるときに、該ゲート２０と略平行になる側壁１１に接近させており、ゲート２０が当接する下部開口面からは、所定距離Ｌ１遠ざける位置に配置している。そして、その距離Ｌ１が支持軸３０から側壁１１に至るまでの距離Ｌ２よりも可及的に長くなるようにすれば、ゲート２０が開放されたときには、一点鎖線で示すように、ゲート２０の上端部２１は、側壁１１から離れていくから、開放されたゲート２０の上端部２１と側壁１１との間には、清掃可能な十分な間隔Ｘが形成される。
【００１０】
　支持軸３０の取り付け位置は、側壁１１に近づける程良いから、支持軸３０を側壁１１に密着させても良い。その場合でも、支持軸３０から本体１０の下部開口面に至るまでの距離Ｌ１を十分長くとれば、開放されたゲート上端部２１と側壁１１との間に、少なくとも清掃作業者の指先が入るだけの十分な間隔Ｘを形成することができる。」
「【００２３】
　図４は、ゲート２０を開放させたときの側面図を示す。この図において、上方に跳ね上がったゲート２０の上端部２１と側壁１１との間には、清掃用具や少なくとも作業者の指先を挿入して清掃できるような十分な間隔が形成されている。したがって、ホッパ１００を計量装置Ｗから外すと、ゲート２０は、自重で開放されるから、ゲート２０と側壁１１との間に清掃用具や指先を入れて清掃することができる。勿論、高圧洗浄水で洗浄することもできる。」
　以上検討のとおり、当該訂正事項は、特許請求の範囲の減縮を目的とし、新規事項の追加に該当せず、実質上特許請求の範囲を拡張し、又は変更するものではない。
エ　してみると、訂正事項１の訂正は、特許請求の範囲の減縮及び明瞭でない記載の釈明を目的とし、新規事項の追加に該当せず、実質上特許請求の範囲を拡張し、又は変更するものではない。
（２）訂正事項２について
　訂正事項２は、本件訂正前の請求項２が引用する請求項１の「補強板」について、「前記補強板のうち、前記支持軸を横切る水平方向の端部である他の一部」が、「前記ゲートが閉じている場合、前記側面の前記支持軸に隣接する前記平面の端部の縁から張り出している」ことを限定するものであるから、特許請求の範囲の減縮を目的とするものに該当する。
　そして、この訂正は、本件特許の願書に添付した特許請求の範囲の請求項１に記載した事項、前記明細書の段落【００１０】及び前記【図３】に記載した事項に基づくものであるから、新規事項の追加に該当せず、実質上特許請求の範囲を拡張し、又は変更するものではない。
　したがって、この訂正は、特許請求の範囲の減縮を目的とし、新規事項の追加に該当せず、実質上特許請求の範囲を拡張し、又は変更するものではない。
３　小括
　以上のとおりであるから、本件訂正は、特許法１２０条の５第２項ただし書１号及び３号に掲げる事項を目的とするものであり、かつ、同条９項において準用する同法１２６条５項及び６項の規定に適合する。
　なお、この特許異議の申立てにおいては、請求項１−４について特許異議の申立てがされているところ、上記訂正事項１及び２は請求項１−４に係るものであるから、本件訂正後における請求項１−４に記載されている事項により特定される発明について、特許法１２０条の５第９項において読み替えて準用する同法１２６条７項に規定する独立特許要件は課されない。
　したがって、本件特許の特許請求の範囲を、訂正請求書に添付された訂正特許請求の範囲のとおり、訂正後の請求項〔１−４〕について訂正することを認める。
第３　訂正後の本件発明
　本件訂正後の請求項１−４に係る発明（以下、それぞれ「本件発明１」−「本件発明４」という。）は、訂正請求書に添付された訂正特許請求の範囲の請求項１−４に記載された次の事項により特定されるとおりのものである。
「【請求項１】
　上下が開口した中空状の本体と、
　該本体の下部開口面を下方から開閉するゲートと、
　該ゲートを、前記本体の対向する両側面に開閉自在に取り付けてなる支持軸と、
　前記ゲートの上端部と前記両側面の前記支持軸とを接続する補強板と、を備え、
　前記補強板の一部は、前記ゲートが閉じている場合、前記本体の側壁のうち、前記支持軸の延びる方向と平行に平面が存在しかつ、前記支持軸に近い側壁から前記支持軸に向かう方向に対し、前記支持軸の延びる方向から見た平面視において前記側壁から張り出し、
　前記支持軸は、前記側壁に隣接するように、前記側面の平面に配置され、
　かつ、開放された前記ゲートの上端部と前記側壁との間に、少なくとも清掃作業者の指先が入るだけの間隔が形成されるように、前記支持軸から前記下部開口面に至るまでの距離が、前記支持軸から前記側壁に至るまでの距離よりも長く設定されている、ホッパ。
【請求項２】
　前記補強板のうち、前記支持軸を横切る水平方向の端部である他の一部は、前記ゲートが閉じている場合、前記側面の前記支持軸に隣接する前記平面の端部の縁から張り出している、請求項１に記載のホッパ。
【請求項３】
　前記本体の下部開口面は、単一の前記ゲートによって、片開きに開閉される請求項１に記載のホッパ。
【請求項４】
　装置本体の上部に供給された被計量物を放射状に複数の経路に分散させた後、各経路の先端下部に配置された複数のホッパで計量し、得られた各被計量物の計量値を組合せて最適な組合せを選択して排出する組合せ計量装置であって、前記ホッパを請求項１乃至３に記載のホッパで構成したことを特徴とする組合せ計量装置。」
第４　取消理由通知書に記載した取消理由について
１　取消理由の概要
　本件訂正前の請求項１−４に係る特許に対して、当審が令和２年６月１８日に特許権者に通知した取消理由の要旨は、次のとおりである。
（１）理由１（新規事項）
　本件特許は、令和元年６月４日付け手続補正書でした特許請求の範囲についての補正が、願書に最初に添付した明細書、特許請求の範囲又は図面に記載した事項の範囲内においてしたものでないから、特許法１７条の２第３項に規定する要件を満たしていない補正をした特許出願に対してされたものであり、取り消されるべきものである。
（２）理由２（サポート要件）
　本件特許は、特許請求の範囲の記載が、特許法３６条６項１号に規定する要件を満たしていない特許出願に対してされたものであるから、取り消されるべきものである。
（３）理由３（新規性）
　本件特許の請求項１、請求項３及び請求項４に係る発明は、その出願前に日本国内又は外国において、頒布された下記の刊行物に記載された発明又は電気通信回線を通じて公衆に利用可能となった発明であるから、上記請求項に係る特許は、特許法２９条１項の規定に違反してされたものであり、取り消されるべきものである。
　　　　　　　　　　　　　　　　記
　甲第１号証：国際公開第２０１２／０５７３５３号
（４）理由４（進歩性）
　本件特許の請求項１ないし請求項４に係る発明は、その出願前に日本国内又は外国において、頒布された下記の刊行物に記載された発明又は電気通信回線を通じて公衆に利用可能となった発明に基づいて、その出願前にその発明の属する技術の分野における通常の知識を有する者が容易に発明をすることができたものであるから、上記請求項に係る特許は、特許法２９条２項の規定に違反してされたものであり、取り消されるべきものである。
　　　　　　　　　　　　　　　　記
　甲第１号証：国際公開第２０１２／０５７３５３号
　甲第３号証：意匠登録第１４８５５６５号公報
　甲第５号証：意匠登録第１４１０６６１号公報
２　引用文献に記載された発明等
（１）甲第１号証
ア　甲第１号証には、次の事項が記載されている。（下線は当審が付した。下記の（２）以降も同様である。）
「[0016]　図１は、本発明の実施の形態である容器の一例としての
ホッパが計量ホッパとして適用された自動式組合せ秤
　[0017]　
分散フィーダ２は、クロスヘッドフィーダ１から供給された食品を、放射状に複数台設けられたリニアフィーダ３に分散させて供給する
先端側に搬送してフィード容器５に供給する
　[0018]　
計量ホッパ１０は、複数台設けられ、それぞれがフィード容器５の下方域に配設してある。
それぞれの計量ホッパ１０は、荷重検出器１０ａにより保持する食品の重量値が検出される
　[0019]　ここで、
これら計量ホッパ１０により保持される食品の重量値は、図示せぬ演算装置にて組合せ演算に利用され、かかる演算装置にて合計重量が許容重量範囲内の組合せが選択される。
計量ホッパ１０は、演算装置から払出指令が与えられた場合には、保持する食品を下方域にあるシュート６に払い出すことになる。
（中略）
　[0021]　図２は、図１に示した計量ホッパ１０を模式的に示す側面図である。ここで例示する
計量ホッパ１０は、本体部２０とゲート（開閉部材）３０とを備えて構成してある。
（中略）
　[0023]　本体部２０は、本体基部２１と本体補強部２２とを有して成るものである。
本体基部２１は、
投入口２３を構成する上端開口と、払出口２４を構成する下端開口とを有している。
「[0027]　
ゲート３０は、ゲート基部３１とゲート補強部３２とを有して成るものである
　[0028]　
ゲート補強部３２は、ゲート基部３１の基端側外表面に拡散接合にて取り付けてある。
左右両側部を屈曲することにより前方側に向けて延在する前方延在部３２１が形成してあり、それぞれの前方延在部３２１の先端部には貫通孔３３が設けてある。
　[0029]　よって、本体補強部２２の
軸状部２５がゲート補強部３２の貫通孔３３を貫通する態様で、ゲート３０を本体部２０に設ける
ゲート３０は、図２中の矢印で示すように軸状部２５の軸心回りに揺動可能となり、これにより本体部２０（本体基部２１）の払出口２４を開閉することが可能になる。
「[図1]
   
[図2]
」
「[図6]
   
[図7]
」
イ　甲第１号証の前記アの記載から、以下のことが認められる。
（ア）[図6]を参照すれば、「本体基部２１」は、内部が中空であること。
（イ）[図2]及び[0029]を参照すれば、「ゲート３０」は、下端開口を下方から開閉するものであること。
（ウ）[図6]を参照すれば、「軸状部２５」は、「本体基部２１」の対向する両側面に取り付けられていること。
（エ）[図2]を参照すれば、「ゲート３０」が閉じている状態において、軸状部２５の延びる方向から見た平面視で、「ゲート補強部３２」の一部は、「本体基部２１」を構成する「側壁」のうち、[図2]の最も右側に位置する鉛直方向と平行な平面（[図6]の右手前の平面）から張り出していること。
（オ）[図2]を参照すれば、「軸状部２５」は、「本体基部２１」を構成する「側壁」のうち、[図2]の最も右側に位置する鉛直方向と平行な平面に隣接して取り付けられていること。
ウ　上記イの（ア）〜（オ）を踏まえつつ、前記アの記載をまとめると、甲第１号証には、以下の発明（以下「甲１発明」という。）が記載されている。
「上端開口と下端開口とを有している中空状の本体基部２１（[0023]、[図6]）と、本体基部２１の下端開口（払出口２４）を下方から開閉可能とするゲート３０（[0029]、[図2]）と、
　ゲート基部３１の基端側外表面に拡散接合にて取り付けてあり、左右両端部を屈曲することにより前方側に向けて延在する前方延在部３２１を有するゲート補強部３２（[0027]、[0028]、[図7]）と、
　ゲート補強部３２の前方延在部３２１の先端部に設けられた貫通孔３３を貫通する態様とすることにより、ゲート３０を本体部２０に開閉可能に設けた軸状部２５（[0029]、[図6]、[図7]）を備え、
　ゲート補強部３２の一部は、ゲート３０が閉じている状態において、軸状部２５の延びる方向から見た平面視で、本体基部２１を構成する側壁のうち、[図2]の最も右側に位置する鉛直方向と平行な平面（[図6]の右手前の平面）から張り出しており、軸状部２５は当該平面に隣接し、本体基部２１の対向する両側面に取り付けられている（[図2]、[図6]）、
　計量ホッパ（[0021]）。」
（２）甲第３号証
ア　甲第３号証には、次の事項が記載されている。
「【意匠に係る物品の説明】
本物品は、組合せ計量機用のホッパであり
ホッパのゲート部は
商品が排出される際には開放される。
「【ゲートを開いた状態を示す正面参考図】
」
「【説明図】
」
イ　前記アの記載をまとめると、甲第３号証には、以下の事項が記載されている。
「計量ホッパは、商品を排出させるためにゲートを開放した状態では、ゲートが鉛直線と平行となる。」
（３）甲第５号証
ア　甲第５号証には、次の事項が記載されている。
「【意匠に係る物品】
組合せ秤用計量ホッパ
「【意匠に係る物品の説明】本物品は、使用状態を示す参考図に示すように、本物品と本物品を支持する計量器とを備える複数の計量部の組合せによって、組合せ目標重量に対して許容重量範囲内に入る重量を持つ被計量物のバッチ（かたまり）を排出する組合せ秤に用いることができるものである。組合せ秤のプールホッパによって被計量物がゲートを閉じた状態の本物品の投入口に投入されることにより、本物品は、当該被計量物を一時的に保持することができる。そして、組合せ秤の駆動装置が
本物品の揺動アームを上方に揺動すると、本物品のゲートが開き、これによって、本物品は、保持している被計量物を排出口から集合シュートに投下することができる
「【ゲートを開いた状態を示す参考正面斜視図】
」
イ　前記アの記載をまとめると、甲第５号証には、以下の事項が記載されている。
「計量ホッパは、被計量物を排出口から投下するためにゲートが開いた状態では、ゲートが鉛直線と平行となる。」
３　当審の判断
（１）理由１（新規事項）について
　本件訂正後の請求項１に記載された「前記補強板の一部は、前記ゲートが閉じている場合、前記本体の側壁のうち前記支持軸の延びる方向と平行に平面が存在しかつ、前記支持軸に近い側壁から前記支持軸に向かう方向に対し、前記支持軸の延びる方向から見た平面視において前記側壁から張り出し」という事項は、前記第２の２（１）イで説示したのと同様に、本件特許の願書に最初に添付した明細書の段落【００２０】及び【図３】から自明なものであるから、当該事項を追加する補正は、当初明細書等の全ての記載を総合することにより導かれる技術的事項との関係において、新たな技術的事項を導入するものであるとはいえない。
　また、請求項１の記載を引用して記載された請求項２から請求項４についても、同様に、新たな技術的事項を導入するものであるとはいえない。
　よって、本件発明１−４に係る特許は、取消理由通知書に記載した理由１により取り消されるべきものではない。
（２）理由２（サポート要件）について
　本件発明１は、「前記支持軸は、前記側壁に隣接するように、前記側面の平面に配置され、かつ、開放された前記ゲートの上端部と前記側壁との間に、少なくとも清掃作業者の指先が入るだけの間隔が形成されるように、前記支持軸から前記下部開口面に至るまでの距離が、前記支持軸から前記側壁に至るまでの距離よりも長く設定されている」という構成を備えることにより、ホッパをコンパクトにできるメリットを活かしながら、ゲートを隅々まで洗浄することのできるホッパを提供するという課題を解決することができるから、本件発明１は、課題を解決する手段が反映されており、発明の詳細な説明に記載したものであるといえる。
　また、本件発明１の構成を全て備える本件発明２−４についても、同様に、発明の詳細な説明に記載したものであるといえる。
　よって、本件発明１−４に係る特許は、取消理由通知書に記載した理由２により取り消されるべきものではない。
（３）理由３（新規性）について
ア　本件発明１について
　本件発明１と甲１発明を対比すると、以下のとおりである。
（ア）甲１発明の「本体基部２１」は、上端開口と下端開口とを有し、中空状であるから、本件発明１の「上下が開口した中空状の本体」に相当する。
（イ）甲１発明の「ゲート３０」は、本体基部２１の下端開口（払出口２４）を下方から開閉するものであるから、本件発明１の「本体の下部開口面を下方から開閉するゲート」に相当する。
（ウ）甲１発明の「軸状部２５」は、「ゲート３０」を、「ゲート補強部３２」の「貫通孔３３」を貫通する態様で、「本体基部２１」の対向する両側面に開閉可能に取り付けている。よって、甲１発明の「軸状部２５」は、本件発明１の「ゲートを、前記本体の対向する両側面に開閉自在に取り付けてなる支持軸」に相当する。
（エ）甲１発明の「ゲート補強部３２」は、「ゲート基部３１」の基端側外表面に拡散接合にて取り付けてあり、「ゲート補強部３２」の左右両端部を屈曲することにより前方側に向けて延在する「前方延在部３２１」を有し、「前方延在部３２１」の「貫通孔３３」に「本体部２０」の「軸状部２５」が貫通している。すなわち、「ゲート補強部３２」は「ゲート基部３１」の基端側と「軸状部２５」とを接続している。よって、甲１発明の「ゲート補強部３２」は、本件発明１の「ゲートの上端部と前記両側面の前記支持軸とを接続する補強板」に相当する。
（オ）甲１発明において、「本体基部２１」を構成する「側壁」のうち、[図2]の最も右側に位置する垂直な平面（[図6]の右手前の平面）は、軸状部２５の延びる方向と平行な平面であり、かつ、軸状部２５に近い側壁であるから、本件発明１の「本体の側壁のうち前記支持軸の延びる方向と平行に平面が存在しかつ、前記支持軸に近い側壁」に相当する。甲１発明において、「ゲート３０」が閉じている状態において、軸状部２５の延びる方向から見た平面視で、「ゲート補強部３２」の一部は上記「側壁」から張り出しているから、本件発明１と甲１発明は、「補強板の一部は、前記ゲートが閉じている場合、・・・側壁から前記支持軸に向かう方向に対し、前記支持軸の延びる方向から見た平面視において前記側壁から張り出し」ている点で一致する。
（カ）甲１発明の「軸状部２５」は、本件発明１の「本体の側壁のうち前記支持軸の延びる方向と平行に平面が存在しかつ、前記支持軸に近い側壁」に相当する平面に隣接し、「本体基部２１」の対向する両側面に取り付けられているから、本件発明１と甲１発明は、「前記支持軸は、前記側壁に隣接するように、前記側面の平面に配置され」ている点で一致する。
（キ）甲１発明の「計量ホッパ」は、本件発明１の「ホッパ」に相当する。
　以上の対比の結果をまとめると、本件発明１と甲１発明の一致点及び相違点は、次のとおりである。
＜一致点＞
「上下が開口した中空状の本体と、
　該本体の下部開口面を下方から開閉するゲートと、
　該ゲートを、前記本体の対向する両側面に開閉自在に取り付けてなる支持軸と、
　前記ゲートの上端部と前記両側面の前記支持軸とを接続する補強板と、を備え、
　前記補強板の一部は、前記ゲートが閉じている場合、前記本体の側壁のうち、前記支持軸の延びる方向と平行に平面が存在しかつ、前記支持軸に近い側壁から前記支持軸に向かう方向に対し、前記支持軸の延びる方向から見た平面視において前記側壁から張り出し、
　前記支持軸は、前記側壁に隣接するように、前記側面の平面に配置されている、ホッパ。」
＜相違点＞
　本件発明１は、「開放された前記ゲートの上端部と前記側壁との間に、少なくとも清掃作業者の指先が入るだけの間隔が形成されるように、前記支持軸から前記下部開口面に至るまでの距離が、前記支持軸から前記側壁に至るまでの距離よりも長く設定されている」のに対して、甲１発明は、そのように設定されているか不明である点。
　本件発明１と甲１発明は上記相違点において相違するので、本件発明１は、甲第１号証に記載された発明ではない。
イ　本件発明２−４について
　本件発明２−４は、本件発明１の構成を全て備えるものであるから、本件発明１についての判断と同様の理由により、甲第１号証に記載された発明ではない。
ウ　理由３についてのまとめ
　以上検討のとおり、本件発明１−４は、甲第１号証に記載された発明ではないから、本件発明１−４に係る特許は、取消理由通知書に記載した理由３により取り消されるべきものではない。
（４）理由４（進歩性について）
ア　本件発明１について
　上記相違点について検討する。
　甲第３号証及び甲第５号証に記載された事項から、計量ホッパにおいて、ゲートを開放した状態では、ゲートが鉛直線と平行となることは周知の技術であると認められる。また、ゲートが鉛直線と平行となるためには、構造上、ゲートの支持軸から下部開口面までの距離が、支持軸から側壁までの距離よりも長くなくてはならない（長くない場合は、ゲートが鉛直線と平行となるまで開かない。）。
　よって、甲１発明において上記周知の技術を適用し、ゲート３０が鉛直線と平行となるまで開放する構造を採用するとともに、ゲートの支持軸から下部開口面までの距離を、支持軸から側壁までの距離よりも長く設定することまでは、当業者が容易に想到し得たことであるといえる。
　しかしながら、ゲートの支持軸から下部開口面までの距離と、支持軸から側壁までの距離との関係を、「開放された前記ゲートの上端部と前記側壁との間に、少なくとも清掃作業者の指先が入るだけの間隔が形成されるように」設定することは、甲第１号証において記載や示唆がされたものではなく、甲第３号証及び甲第５号証において記載や示唆がされたものでもない。
　そして、このように設定することにより、本件発明１は、本体の側面に支持軸を配置して小型化を図ったホッパにおいて、開放されたゲートの上端部と側壁との間に狭い隘路が形成されず、清掃作業者が簡単に指先を入れて隅々まで清掃できるという効果を奏するものであるから、このように設定することは、技術上の意義を有するということができる。
　したがって、本件発明１は、甲１発明及び周知の技術に基づいて当業者が容易に発明をすることができたものであるとはいえない。
イ　本件発明２−４について
　本件発明２−４は、本件発明１が備える構成を全て備えるものであるから、本件発明１についての判断と同様の理由により、甲１発明及び周知の技術に基づいて当業者が容易に発明をすることができたものであるとはいえない。
ウ　特許異議申立人の主張について
　特許異議申立人は、特許異議申立書において、「甲第１号証における計量ホッパ（１０）も、本件特許発明と同様、食品を計量するために用いられるものであり（甲第１号証の段落００１８）、それを清潔に維持する課題が存在することは甲第１号証の段落０００５−０００７等に示唆がある。したがって、開放されたゲート上端部とそれが接近する側壁との間に、清掃用具や作業者の指先等が入るだけの十分な間隔を形成するために、距離Ｌ１および距離Ｌ２を調整して適切な間隔Ｘを設定することは、甲第１号証の記載事項から何ら思考を働かせずに自然に導き出し得る設計的事項である。」（１８ページ３２行−１９ページ３行）と主張している。
　しかしながら、甲第１号証には、「本発明の容器によれば、本体部は、構成部材どうしを拡散接合にて接合した後に曲げ加工が施されて成形されたものであるので、構成部材どうしの界面が消失し、一体的な構造物として両者間の隙間をなくすことができる。よって、対象物の一部が本体部の構成部材間に進入することを防止して衛生的なものとすることができる。従って、サニタリー性を良好なものとすることができるという効果を奏する。」（段落[0013]）と記載されており、構成部材間の隙間をなくすことでサニタリー性を向上させることは示唆されているものの、それとは逆に、構成部材間の隙間を十分広くして清掃作業を容易とすることでサニタリー性を向上させることは示唆されていないというべきであるから、特許異議申立人の主張は採用できない。
エ　理由４についてのまとめ
　以上検討のとおり、本件発明１−４は、甲１発明及び周知の技術に基づいて当業者が容易に発明をすることができたものであるとはいえないから、本件発明１−４に係る特許は、取消理由通知書に記載した理由４により取り消されるべきものではない。
４　小括
　以上のとおりであるから、取消理由通知に記載した取消理由により、本件発明１−４に係る特許を取り消すことはできない。
第５　取消理由通知において採用しなかった特許異議申立理由について
１　特許異議申立人が提出した証拠とその理由の概要
（１）証拠
　甲第１号証：国際公開第２０１２／０５７３５３号
　甲第２号証：意匠登録第１４９８３７４号公報
　甲第３号証：意匠登録第１４８５５６５号公報
　甲第４号証：意匠登録第１４８５７５０号公報
　甲第５号証：意匠登録第１４１０６６１号公報
（２）理由の概要
　本件訂正前の請求項１−４に係る発明は、甲第１号証と、甲第２号証−甲第５号証に記載された周知技術に基づいて当業者が容易に発明をすることができたものであるから、上記請求項に係る特許は、特許法２９条２項の規定に違反してされたものであり、取り消されるべきものである。
２　当審の判断
　上記第４の３（４）で検討したとおり、本件発明１−４は、甲１発明並びに甲第３号証及び甲第５号証に記載された周知の技術に基づいて当業者が容易に発明をすることができたものであるとはいえない。
　また、甲第２号証及び甲第４号証にも、上記相違点に係る「開放された前記ゲートの上端部と前記側壁との間に、少なくとも清掃作業者の指先が入るだけの間隔が形成されるように、前記支持軸から前記下部開口面に至るまでの距離が、前記支持軸から前記側壁に至るまでの距離よりも長く設定されている」という構成は記載も示唆もされていない。
　よって、本件発明１−４は、甲１発明及び甲第２号証−甲第５号証に記載された周知の技術に基づいて当業者が容易に発明をすることができたものであるとはいえない。
３　小括
　前記２で検討したとおり、特許異議申立書に記載した特許異議申立理由により、本件発明１−４に係る特許を取り消すことはできない。
第６　むすび
　以上のとおりであるから、取消理由通知に記載した取消理由及び特許異議申立書に記載した特許異議申立理由に照らしても、本件発明１−４に係る特許を取り消すことはできない。
　また、他に本件発明１−４に係る特許を取り消すべき理由を発見しない。
　よって、結論のとおり決定する。
【異議決定日】
令和２年１１月２０日（２０２０．１１．２０）
【訂正の要旨】
審決（決定）の【理由】欄参照。
（５７）【特許請求の範囲】
　【請求項１】
　上下が開口した中空状の本体と、
　該本体の下部開口面を下方から開閉するゲートと、
　該ゲートを、前記本体の対向する両側面に開閉自在に取り付けてなる支持軸と、
　前記ゲート
の上端部
前記両側面の
　前記補強板
の一部
、
　
前記支持軸は、前記側壁に隣接するように、前記側面の平面に配置され、
　
かつ、開放された前記ゲートの上端部と前記側壁との間に、少なくとも清掃作業者の指先が入るだけの間隔が形成されるように、前記支持軸から前記下部開口面に至るまでの距離が、前記支持軸から前記側壁に至るまでの距離よりも長く設定されている
　【請求項２】
　
前記補強板のうち、前記支持軸を横切る水平方向の端部である他の一部は、前記ゲートが閉じている場合、前記側面の前記支持軸に隣接する前記平面の端部の縁から張り出している
　【請求項３】
　前記本体の下部開口面は、単一の前記ゲートによって、片開きに開閉される請求項１に記載のホッパ。
　【請求項４】
　装置本体の上部に供給された被計量物を放射状に複数の経路に分散させた後、各経路の先端下部に配置された複数のホッパで計量し、得られた各被計量物の計量値を組合わせて最適な組合せを選択して排出する組合せ計量装置であって、前記ホッパを請求項１乃至３に記載のホッパで構成したことを特徴とする組合せ計量装置。